(57)【要約】【課題】  エンジンのピストン系の上下二次慣性力によるピッチング振動を低減して、ピッチング振動に伴う「こもり音」を低減する。【解決手段】  横置き４気筒ディーゼルエンジン１の後端に接続された変速機２は、車体後方に延びる前輪用デファレンシャルギヤボックス１２を備えている。エンジン１の前端部には、車体前方側の側面にサプライポンプ１４が搭載されている。サプライポンプ１４によって生成された高圧の燃料は、コモンレールを介して燃料噴射弁１３に供給される。サプライポンプ１４はクランクシャフトによって駆動されるカムによって往復動する１本のプランジャを備えている。サプライポンプ１４は、エンジン１のピストン系の二次慣性力と逆位相の慣性力を発生するように駆動される。【選択図】  図２
2006046295.tif 000002
【特許請求の範囲】
【請求項１】
サプライポンプのプランジャを往復動させることにより生成した高圧の燃料をコモンレールを介して各気筒に供給するコモンレール式の燃料噴射装置を備え、弾性のマウント部材を介して車体に搭載されるエンジンであって、
前記サプライポンプを、カム駆動される１本のプランジャで構成すると共に前記エンジンの前部に搭載し、
該サプライポンプの１本のプランジャを、エンジンのピストン系の二次慣性力と逆位相の慣性力を生じるように駆動することを特徴とするエンジンの振動低減装置。
【請求項２】
前記エンジンが直列４気筒エンジンであり、該直列４気筒エンジンのクランクシャフトと前記サプライポンプのカムとが連係されて、前記クランクシャフトが１回転する毎に前記プランジャが２回往復動することを特徴とする請求項１記載のエンジンの振動低減装置。
【請求項３】
前記サプライポンプのカムのカムフェースが、１８０度位相が離れた２つの山を備え、該２つの山を備えたカムが前記クランクシャフトと同速で回転駆動されることを特徴とする請求項２記載のエンジンの振動低減装置。
【請求項４】
前記サプライポンプのカムのカムフェースが１つの山を備え、該１つの山を備えたカムが前記クランクシャフトの２倍速で回転駆動されることを特徴とする請求項２記載のエンジンの振動低減装置。
【請求項５】
前記エンジンが、そのクランクシャフトを車幅方向に向けて前記車体に搭載された横置きエンジンであり、
該横置きエンジンは、その後端に接続された変速機と、該変速機の車体後方側に隣接して該変速機と一体構造の前輪用デファレンシャルギヤボックスとでパワープラントを構成し、
前記サプライポンプが、前記横置きエンジンの前部における車体前方側の側面に搭載されていることを特徴とする請求項１〜４のいずれか一項に記載のエンジンの振動低減装置。
【発明の詳細な説明】
【技術分野】
【０００１】
本発明は、エンジンの振動低減装置に関するものである。
【背景技術】
【０００２】
往復動型エンジンのピストン、コンロッドなどのピストン系の上下振動を低減するために多気筒エンジンにはバランスウエイトが設けられており、必要に応じてバランス装置を内蔵するのが効果的であることが知られている。
【０００３】
周知のバランス装置は、クランクシャフトの両側に並行に配設された一対のバランスシャフトを有する。そして、これら一対のバランスシャフトをクランクシャフトの２倍の速度で回転させると共に、一方のバランスシャフトをクランクシャフトと同一の回転方向に回転させ、他方のバランスシャフトを逆方向に回転させることで、エンジンの二次起振力による慣性力（二次慣性力）と逆方向の慣性力を発生させ、この逆方向の慣性力で二次慣性力を相殺することによりエンジンの振動を低減することを意図している。
【０００４】
特許文献１は、上記の周知のバランス装置に代わることのできる往復動式バランス装置を提案している。この往復動式バランス装置は、クランクシャフトの近傍のエンジン内部に、カム駆動されるバランスマスを配設し、このバランスマスを上下に往復動させることで二次慣性力を相殺することのできる慣性力を発生させるようになっている。また、この特許文献１は、バランスマスの往復動を利用してエアーコンデショナ用のコンプレッサを構成することを提案している。
【０００５】
図１は、車両に搭載したエンジンを示す。エンジン１は、その後端に変速機２などを接続したパワープラントPPの形態で、ラバーマウントなどのマウント部材を介して車体に搭載される。図示の参照符号３はピストンであり、４はコンロッドであり、５はクランクシャフトである。エンジン１を含むパワープラントPPは、その重心Ｇ(p)がエンジン単体の重心Ｇ(e)よりもエンジン後端側に変位して位置するため、エンジン１のピストン系の上下振動により、パワープラントPPの重心Ｇ(p)を中心としたピッチング振動が発生し、これが「こもり音」の原因になることが知られている。
【０００６】
ところで、自然環境への関心が高まりを見せる昨今、ガソリンエンジンよりも理論熱効率の点で優れている直噴ディーゼルエンジンが注目されている。直噴ディーゼルエンジンの特徴は、周知のように各気筒毎に直接的に燃料を供給して圧縮自己着火させることにあり、これまで、列型噴射ポンプと称されるポンプを内蔵した燃料噴射装置が多用されていたが、ポンプ内蔵方式の燃料噴射装置では例えば多段階噴射などの多様な噴射制御や超高圧噴射の対応に限界があるため、近時のディーゼルエンジンではコモンレール方式の燃料噴射装置が採用されている。
【０００７】
特許文献２は、コモンレール方式の燃料噴射装置の典型例を開示している。コモンレール方式の燃料噴射装置は、高い燃料圧を生成するためのサプライポンプを有する。サプライポンプで生成した高圧燃料はコモンレールに送られて一定圧に保持された後に、各気筒毎の燃料噴射弁を介して各気筒内に噴射される。なお、特許文献２のサプライポンプは、直線上に互いに対抗して配置された一対のプランジャと、これを駆動するための共通カムとを有する。共通カムによりプランジャが往復動して燃料を高圧化し、生成した高圧燃料は２つの吐出ポートを通じてコモンレールに供給される。
【特許文献１】特開２００３−８３３９６号公報
【特許文献２】特開２００２−３７１９４１号公報
【発明の開示】
【発明が解決しようとする課題】
【０００８】
前述したピッチング振動に関し、これを低減するのに、前述したバランス装置などを使ってエンジンの二次慣性力を除去することは効果的であるが、マスを構成するバランスシャフトなどは重量物であり且つ装置自体も高価であるため、二次慣性力を完全に除去するには実際上の限界がある。
【０００９】
そこで、本発明は、「こもり音」対策として、バランス装置に依存しないでピッチング振動に伴う「こもり音」を低減することのできるエンジンの振動低減装置を提供することを目的とする。
【００１０】
本発明の更なる目的は、エンジンのピストン系の上下二次慣性力によるピッチング振動を低減して、ピッチング振動に伴う「こもり音」を低減することのできるエンジンの振動低減装置を提供することにある。
【００１１】
本発明の更なる目的は、プランジャにより燃料の圧力を高める燃料噴射装置を備えたエンジンを前提として、このプランジャの往復動を利用してピッチング振動に伴う「こもり音」を低減することのできるエンジンの振動低減装置を提供することにある。
【課題を解決するための手段】
【００１２】
従来の直噴ディーゼルエンジンの列型噴射ポンプでは、運転状態に応じて噴射タイミングを制御するためにクランクシャフトとポンプのプランジャとの位相が変化するが、コモンレール方式のサプライポンプは噴射タイミングの制御に関係しないことから、クランクシャフトとプランジャの位相を一定に保つことができる。
【００１３】
本発明は、コモンレール方式ではサプライポンプのプランジャとクランクシャフトの位相を一定に保つことができる点に着目して、上記の技術的課題を達成すべく、
サプライポンプのプランジャを往復動させることにより生成した高圧の燃料をコモンレールを介して各気筒に供給するコモンレール式の燃料噴射装置を備え、弾性のマウント部材を介して車体に搭載されるエンジンであって、
前記サプライポンプを、カム駆動される１本のプランジャで構成すると共に前記エンジンの前部に搭載し、
該サプライポンプの１本のプランジャを、エンジンのピストン系の二次慣性力と逆位相の慣性力を生じるように駆動することを特徴とするエンジンの振動低減装置を提供する。
【００１４】
エンジンは、その後端に接続された変速機でパワープラントを構成し、このパワープラントの重心Ｇ(p)は、エンジン重心のＧ(e)よりもエンジン後端側に位置していることから、エンジンのピストン系の二次慣性力によってパワープラント重心Ｇ(p)を中心としたピッチング振動が発生し、これが「こもり音」の一因になる。
【００１５】
本発明によれば、サプライポンプが１本のプランジャで構成されている。１本のプランジャで構成されたサプライポンプは、プランジャの往復動作に伴って起振力を発生することから、エンジンのピストン系の二次慣性力と逆位相の慣性力を生じるようにプランジャを駆動することで、エンジンの二次慣性力を低減することができる。
【００１６】
また、本発明によれば、サプライポンプがエンジンの前部に配置される。このサプライポンプの配置は、パワープラント重心Ｇ(p)からサプライポンプを遠ざけた配置となり、パワープラント重心Ｇ(p)とサプライポンプとの間の距離を大きくとって、サプライポンプの慣性モーメントを大きくすることができる。したがって、サプライポンプの慣性力が比較的小さなものであったとしても、効果的にピッチング振動を低減することができ、これにより「こもり音」を抑制する効果を高めることができる。サプライポンプの配置位置は、理想的には、ピッチング振動を抑制するには、パワープラント重心Ｇ(p)とエンジン重心Ｇ(e)とを結ぶ中心線を含む鉛直面に配置するのがよい。本発明は、典型的には直噴ディーゼルエンジンに適用されるが、直噴式ガソリンエンジンに対しても同様に適用することができる。
【００１７】
エンジンの二次慣性力の問題に対しては、前述したようにバランス装置をエンジンに組み込むのが効果的である。バランス装置は、一般的には、大排気量の４気筒エンジンに適用されているが、本発明の適用に際して、バランス装置を組み込んだエンジンに対して本発明を適用してもよいし、エンジン排気量の大小に関わりなく、バランス装置無しのエンジンに対して本発明を適用してもよい。
【００１８】
本発明の好ましい実施の形態では、直列４気筒エンジンに本発明が適用される。サプライポンプのプランジャを駆動するカムはエンジンのクランクシャフトと連係され、エンジンの回転に同期してサプライポンプが駆動される。１本のプランジャの往復動作による慣性力のサイクル、エンジンの二次慣性力のサイクルに同調させるには、クランクシャフトが１回転する毎にプランジャを２回往復動させればよい。
【００１９】
これを実現するには、プランジャを駆動するためのカムとして、１８０度位相が離れた２つの山を備えた２山カムを採用してもよいし、一つの山を備えた１山カムを採用してもよい。２山カムを採用したときには、クランクシャフトが１回転する毎にプランジャを２回往復動させるのに、２山カムをクランクシャフトと同速に回転駆動すればよい。他方、１山カムを採用したときには、１山カムをクランクシャフトの２倍速で回転駆動すればよい。
【００２０】
本発明の好ましい実施の形態では、横置きエンジンに対して本発明が適用される。一般的にエンジンの説明では、エンジンから出力を取り出す側を「後」と呼び、補機類が設けられる側を「前」と呼んでいる。本明細書の説明においても、エンジンの説明においては、これに従う。したがって、クランクシャフトを車幅方向に向けた横置きエンジンの説明においても、エンジン単体で見たときの「前端」「前部」「後端」の言葉を使用して説明する。
【００２１】
エンジンを含むパワープラントは、エンジンの後端に接続された変速機を含む。エンジンを横置きにした前輪駆動方式の車両では、変速機の車体後方側に、変速機と一体構造の前輪用のデファレンシャルギヤボックスが配設される。このパワープラントの配置では、パワープラント重心Ｇ(p)が車体後方側に変位する。したがって、エンジン重心Ｇ(e)とパワープラント重心Ｇ(p)とを結ぶ中心線は、エンジンのクランクシャフトの軸線から傾斜し、エンジン後端側が車体後方側に位置し、エンジン前端側が車体前方側に位置する。サプライポンプは、前述したように、エンジン重心Ｇ(e)とパワープラント重心Ｇ(p)とを結ぶ中心線を含む鉛直面に配置するのが理想的である。本発明の好ましい実施の形態では、横置きエンジンの前部における車体前方側の側面にサプライポンプが搭載される。これによれば、エンジン重心Ｇ(e)とパワープラント重心Ｇ(p)とを結ぶ傾斜した中心線に接近した状態でサプライポンプを配置できるため、ピッチング振動を低減するには、理想に近いサプライポンプの配置になる。更に好ましくは、横置きエンジンは前方吸気、後方排気であるのがよい。前方吸気、後方排気のエンジンに本発明を適用することで、サプライポンプが排気系の熱に晒されることを防止することができる。
【発明を実施するための最良の形態】
【００２２】
以下に、添付の図面に基づいて本発明の好ましい実施例を説明する。
【００２３】
図２は、自動車１０の前部のエンジンルーム１１を上から見た概略図である。同図から分かるように、自動車１０では、クランクシャフト５（図１）を車幅方向に向けてエンジン１を搭載して前輪を駆動する横置き前輪駆動方式が採用されている。横置きエンジン１を含むパワープラントPPは、変速機２の車体後方側に隣接し且つ変速機２と一体構造の前輪用デファレンシャルギヤボックス１２を含んでおり、従来と同様に、弾性のラバーマウントなどのマウント部材を介して車体に搭載される。
【００２４】
エンジン１は、各気筒毎に燃料噴射弁１３を備えた直列４気筒エンジンである。エンジン１は、この実施例ではディーゼルエンジンであるが、直噴式のガソリンエンジンであってもよい。横置きエンジン１には、図示を省略したが、車体前方側の側面に吸気系が取り付けられ、車体後方側の側面に排気系が取付けられる。すなわち、実施例の横置きエンジン１では、前方吸気、後方排気の形式が採用されている。
【００２５】
補機類が取り付けられるエンジン１の前端部には、車体前方側の側面の上部にサプライポンプ１４が搭載されている。サプライポンプ１４は、プーリベルト１５を介してクランクシャフト５（図１参照）に連結され、クランクシャフト５によって駆動される。
【００２６】
燃料噴射弁１３にはコモンレール（図示せず）から高圧の燃料が供給される。コモンレール方式の燃料噴射装置の概要を図３を参照して説明すると、図示の燃料噴射装置２０は、周知のピストン式弁体とそれを付勢するスプリングとを備えたレギュレートバルブ２１（図３では、弁体とスプリングの図示を省略してある）を付設したフィードポンプ２２を含み、このフィードポンプ２２には、燃料タンク２３から燃料供給管路２４を通じて燃料が供給される。燃料供給管路２４には、燃料を物理的に濾過するフィルタ２５が介装されている。
【００２７】
フィードポンプ２２から吐出される比較的低圧の燃料は、燃圧コントロールバルブ２６を介してサプライポンプ１４の作動室２７に供給され、この作動室２７で圧縮されて超高圧になる。サプライポンプ１４で生成された超高圧の燃料は、吐出弁を含む吐出ポート２８を通じてコモンレールに送られる。なお、フィードポンプ２２内の余分な燃料は、サプライポンプ１４の内部を経由してオーバーフロー管路２９を通じて燃料タンク２３に還流される。
【００２８】
燃料を超高圧にするサプライポンプ１４は１本のプランジャ３０を備え、このプランジャ３０は、エンジンピストン３の移動方向と同じ上下方向に移動可能であり、図示の例では、プランジャ３０が上方移動したときに燃料を圧縮するようにサプライポンプ１４が配設されている。この１本のプランジャ３０は、回転シャフト３１のカム３２によって往復動し、これにより作動室２７の容積を拡縮する。プランジャ３０はリターンスプリング３３によって、常時、カム３２と圧接する方向に付勢されている。回転シャフト３１は、前述したようにクランクシャフト５に対してプーリベルト１５によって連結され、エンジン回転に同期して回転駆動される。なお、図３の参照符号３４は、カム３２とプランジャヘッド３０ａとの間に介装されたシュー及びブッシュを示す。
【００２９】
図４、図５は、カム３２として採用可能なカムフェースを例示するものであり、図４は、１つの山３２ａを備えたカム（１山カムという）を示す。図５は、互いに対抗した一対の山３２ａ、３２ａを備えたカム（２山カムという）を示す。すなわち、図５に図示の２山カムは、１８０度位相が離れた２つの山３２ａ、３２ａを備えている。
【００３０】
サプライポンプ１４の１本のプランジャ３０は、エンジンピストン１の半分の周期で往復動作するように設定される。すなわち、クランクシャフト５が１回転する毎にプランジャ３０は２回往復動作をする。この設定は、サプライポンプ１４のカム３２として図４に例示の１山カムを採用したときには、１山カムをクランクシャフト５に対して２倍速で回転駆動させればよく、他方、サプライポンプ１４のカム３２として図５に例示の２山カムを採用したときには、２山カムをクランクシャフト５と等速で回転駆動させればよい。
【００３１】
１本のプランジャ３０を備えたサプライポンプ１４は、往復動するプランジャ３０によって起振力を発生する。図６は、往復動する１本のプランジャ３０による起振力を説明するための図である。同図の一点鎖線は、プランジャ３０の変位を示し、点線はプランジャ３０の速度を示し、実線はプランジャ３０の加速度を示す。プランジャ３０の加速度の変化が起振力となり、そして、加速度の変化の度合いが大きいほど起振力が大きくなる。プランジャ３０の加速度の変化の度合いを大きくするには、図４、図５に例示の１山カム、２山カムのように、カム３２のカムフェースの山３２ａの形状を急峻にすればよい。
【００３２】
図７の（Ａ）は、図６に関連して、１本のプランジャ３０を備えたサプライポンプ１４の慣性力を示す。１８０度間隔でプランジャ３０を１回往復動（クランクシャフト５が１回転する毎にプランジャ３０を２回往復動）させた場合には、９０度間隔で上方向(＋)又は下方向(−)の慣性力が出現する。このサイクルは、図７の（Ｂ）に示す４気筒エンジン１のピストン系の二次慣性力のサイクルと同じである。したがって、サプライポンプ１４の慣性力がエンジン１のピストン系の二次慣性力と逆位相になるように調整して、図７で矢印で示すように、サプライポンプ１４の慣性力の山（谷）とエンジン１の二次慣性力の谷（山）とを同期させることにより、サプライポンプ１４の慣性力によってエンジン１のピストン系の二次慣性力を低減させてピッチング振動を低減することにより「こもり音」を抑制することができる。
【００３３】
図８は、図１に関連した図であり、４気筒エンジン１を含むパワープラントPPの各重心位置とサプライポンプ１４との位置関係に関連した作用を説明するための図である。サプライポンプ１４をエンジン１の前端部に配置した場合、サプライポンプ１４とパワープラントPPの重心Ｇ(p)との間の距離Ｌpは、エンジン１の重心Ｇ(e)とパワープラントPPの重心Ｇ(p)との間の距離Ｌeに比べて大きい。慣性モーメントは距離の二乗に比例することから、サプライポンプ１４の慣性力が例えばエンジン１の二次慣性力よりも２桁程度小さくても、比較的大きな慣性モーメントを得ることができる。したがって、サプライポンプ１４をエンジン１の前端面または前端部に設けて、パワープラントPPの重心Ｇ(p)からの距離Ｌpを大きくとることで、効果的に、エンジン１のピストン系によるピッチング振動を低減して「こもり音」を抑制することができる。
【００３４】
理想的には、４気筒エンジン１の重心Ｇ(e)とパワープラントPPの重心Ｇ(p)とを結ぶ中心線３６を含む鉛直面にサプライポンプ１４を配置することが、エンジン１のピストン系によるピッチング振動を低減する上で効果的である。実施例のパワープラントPPように、変速機２が、車体後方側に張り出した重量物の拡大部（デフェレンシャルギヤボックス）１２を有する場合には、図２に示すように、拡大部１２のマスによってパワープラント重心Ｇ(p)が車体後方側に変位し、この変位した重心Ｇ(p)とエンジン重心Ｇ(e)とを通る中心線３６は、クランクシャフト線３７から傾斜して、エンジン１の前端部では前方に変位し、変速機２側では後方に変位した状態となる。このことは、エンジン１の前端部の車体前方側の側面に配置したサプライポンプ１４が理想に近い配置になることを意味する。すなわち、図２から理解できるように、エンジン１の前端部の車体前方側の側面に配置したサプライポンプ１４は、中心線３６が変速機２の後方への拡大部１２のマスによって傾斜した状態では、この傾斜した中心線３６に接近した状態となり、パワープラントPPのピッチング振動を低減する上で理想に近い配置態様となる。
【００３５】
サプライポンプ１４をエンジン１の前端部の車体前方側の側面に配置することは、実施例のエンジン１が前方吸気、後方排気の形式であるとの関連で、排気熱の影響を受けないという観点からも合理的な配置であると言える。
【００３６】
上述した実施例は、ディーゼルエンジン１の附帯機器であるサプライポンプ１４を利用して、ラバーマウントなどのマウント部材で吸収可能な程度までピッチング振動を低減させて「こもり音」を抑制するのに有効である。そして、これを実現するのに必要な改良は、従来のサプライポンプの２本のプランジャを１本に変更するだけで足り、他は既存の要素で構成することができる。このことは、ディーゼルエンジンに限らず、ガソリンを気筒内に直接的に噴射する直噴式のガソリンエンジンに関しても同様に言えることである。
【００３７】
エンジン１は、図１に仮想線で示すように、周知のバランスシャフトのような従来技術の欄で説明したバランス装置４０を含んでいてもよいし、バランス装置４０無しのエンジンであってもよい。バランス装置４０は４気筒エンジンに効果的に使用されるが、特に上下二次慣性力が顕著になる２０００ccを越える大排気量４気筒エンジンには有効であると言われている。例えば、バランス装置４０無しの２０００ccの４気筒エンジンのボア径を大きくして排気量の大きなエンジン（例えば排気量２４００ccのエンジン）を設計する場合、従来であれば、バランス装置４０を組み付けざるを得ないような場合であっても、本発明によれば、サプライポンプ１４の上下方向の 起振力を使ってピッチング振動を低減させ、これにより「こもり音」を抑制することができることから、大きな設計変更無しに排気量を拡大したエンジンを作ることができる。
【図面の簡単な説明】
【００３８】
【図１】エンジンの重心位置とパワープラントの重心位置とを説明するための図である。
【図２】自動車の前部に設けられたエンジンルームに搭載した実施例のエンジンのレイアウトを説明するための図である。
【図３】コモンレール方式の燃料噴射装置の全体系統図である。
【図４】サプライポンプの１本のプランジャを駆動するためのカムの一例を示す図である。
【図５】サプライポンプの１本のプランジャを駆動するためのカムの他の例を示す図である。
【図６】クランクシャフト１回転毎にプランジャを２往復させたときのプランジャの上下の往復動に伴う起振力に関連したプランジャ加速度などを示す図である。
【図７】図６に関連してプランジャの往復動作に伴う慣性力とエンジンの二次慣性力との関係を説明するための図である。
【図８】エンジンの前端部に配設したサプライポンプによるピッチング振動低減効果を説明するための図である。
【符号の説明】
【００３９】
１    エンジン
２    変速機
３    ピストン
４    コンロッド
５    クランクシャフト
ＰＰ    パワープラント
１２    前輪用デファレンシャルギヤ
１３    燃料噴射弁
１４    サプライポンプ
３０    プランジャ
３１    回転シャフト
３２    カム
【図１】
2006046295.tif 000003
【図２】
2006046295.tif 000004
【図３】
2006046295.tif 000005
【図４】
2006046295.tif 000006
【図５】
2006046295.tif 000007
【図６】
2006046295.tif 000008
【図７】
2006046295.tif 000009
【図８】
2006046295.tif 000010